【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
床面等の支持基盤面に設置される被免震体に前記支持基盤面から伝達される地震動を低減する免震装置であって、
摺動面を有し前記被免震体と前記支持基盤面の一方に固着される支持部材と、
前記摺動面に接触する摺動面を有し、前記被免震体と前記支持基盤面の他方に固着される滑り支承体と、
前記滑り支承体と前記支持部材との間を弾性的に接続する弾性体とを有し、
前記弾性体は地震発生時の前記支持基盤面に対する前記被免震体の周期を２秒以上に設定する弾性特性を有することを特徴とする免震装置。
【請求項２】
床面等の支持基盤面に設置される被免震体に前記支持基盤面から伝達される地震動を低減する免震装置であって、
摺動面を有し前記被免震体と前記支持基盤面の一方に固着され、周縁部に固定部が設けられた支持部材と、
前記摺動面に接触する摺動面を有し、前記被免震体と前記支持基盤面の他方に固着される滑り支承体と、
前記滑り支承体に係止される内側係止部と前記支持部材の前記固定部に係止される外側係止部とが両端部に設けられ弾性を有するスポーク状部を備え、前記滑り支承体と前記支持部材との間を弾性的に接続する弾性体とを有し、
前記支持部材の前記固定部に前記スポーク状部が係合するスリットを設けることを特徴とする免震装置。
【請求項３】
床面等の支持基盤面に設置される被免震体に前記支持基盤面から伝達される地震動を低減する免震装置であって、
摺動面を有し前記被免震体に固着される受け部材と、
摺動面を有し前記受け部材に対向して前記支持基盤面に固着される支持部材と、
前記受け部材と前記支持部材との間に介装され、前記受け部材の摺動面に接触する上側摺動面と前記支持部材の摺動面に接触する下側摺動面とを有する滑り支承体と、
前記滑り支承体と前記支持部材との間を弾性的に接続する支持部材用弾性体と、
前記滑り支承体と前記受け部材との間を弾性的に接続する受け部材用弾性体とを有し、
前記支持部材用弾性体および前記受け部材用弾性体は、地震発生時の前記支持基盤面に対する前記被免震体の周期を２秒以上に設定する弾性特性を有することを特徴とする免震装置。
【請求項４】
床面等の支持基盤面に設置される被免震体に前記支持基盤面から伝達される地震動を低減する免震装置であって、
摺動面を有し前記被免震体に固着され、周縁部に固定部が設けられた受け部材と、
摺動面を有し前記受け部材に対向して前記支持基盤面に固着され、周縁部に固定部が設けられた支持部材と、
前記受け部材と前記支持部材との間に介装され、前記受け部材の摺動面に接触する上側摺動面と前記支持部材の摺動面に接触する下側摺動面とを有する滑り支承体と、
前記滑り支承体に係止される内側係止部と前記受け部材の前記固定部に係止される外側係止部とが両端部に設けられ弾性を有するスポーク状部を備え、前記滑り支承体と前記受け部材との間を弾性的に接続する受け部材用弾性体と、
前記滑り支承体に係止される内側係止部と前記支持部材の前記固定部に係止される外側係止部とが両端部に設けられ弾性を有するスポーク状部を備え、前記滑り支承体と前記支持部材との間を弾性的に接続する支持部材用弾性体とを有し、
前記受け部材の前記固定部と前記支持部材の前記固定部とにそれぞれ前記スポーク状部が係合するスリットを設けることを特徴とする免震装置。
【請求項５】
請求項４記載の免震装置において、前記受け部材用弾性体の前記外側係止部の端面と前記支持部材用弾性体の前記外側係止部の端面とを接触させることを特徴とする免震装置。
【請求項６】
請求項１または２記載の免震装置において、前記滑り支承体と前記支持部材との可動距離が２０〜４０ｃｍであることを特徴とする免震装置。
【請求項７】
請求項３または４記載の免震装置において、前記被免震体に固着された受け部材と前記支持基盤面に固着される前記支持部材との可動距離が２０〜４０ｃｍであることを特徴とする免震装置。
【請求項８】
床面等の支持基盤面に設置される被免震体に固定され周縁部に固定部が設けられた受け部材と、前記受け部材に対向して前記支持基盤面に固着され周縁部に固定部が設けられた支持部材と、前記受け部材と前記支持部材との間に介装され前記受け部材の摺動面に接触する上側摺動面および前記支持部材の摺動面に接触する下側摺動面を有する滑り支承体とを有し、前記支持基盤面から伝達される地震動を低減する免震装置の製造方法であって、
前記滑り支承体に係止される内側係止部と前記受け部材の前記固定部に係止される外側係止部とが両端部に設けられた弾性を有するスポーク状部を備える受け部材用弾性体により、前記滑り支承体と前記受け部材との間を弾性的に接続し、
前記滑り支承体に係止される内側係止部と前記支持部材の前記固定部に係止される外側係止部とが両端部に設けられ弾性を有するスポーク状部を備える支持部材用弾性体により、前記滑り支承体と前記支持部材との間を弾性的に接続することを特徴とする免震装置の製造方法。
【請求項９】
請求項８記載の免震装置の製造方法において、前記受け部材用弾性体の前記スポーク状部を前記受け部材の前記固定部に設けられたスリットに係合し、前記支持部材用弾性体の前記スポーク状部を前記支持部材の前記固定部に設けられたスリットに係合することを特徴とする免震装置の製造方法。
【手続補正２】
【補正対象書類名】明細書
【補正対象項目名】発明の名称
【補正方法】変更
【補正の内容】
【発明の名称】免震装置およびその製造方法
【手続補正３】
【補正対象書類名】明細書
【補正対象項目名】０００８
【補正方法】変更
【補正の内容】
【０００８】
本発明の免震装置は、床面等の支持基盤面に設置される被免震体に前記支持基盤面から伝達される地震動を低減する免震装置であって、摺動面を有し前記被免震体と前記支持基盤面の一方に固着される支持部材と、前記摺動面に接触する摺動面を有し、前記被免震体と前記支持基盤面の他方に固着される滑り支承体と、前記滑り支承体と前記支持部材との間を弾性的に接続する弾性体とを有し、前記弾性体は地震発生時の前記支持基盤面に対する前記被免震体の周期を２秒以上に設定する弾性特性を有することを特徴とする。
【手続補正４】
【補正対象書類名】明細書
【補正対象項目名】０００９
【補正方法】変更
【補正の内容】
【０００９】
本発明の免震装置は、床面等の支持基盤面に設置される被免震体に前記支持基盤面から伝達される地震動を低減する免震装置であって、摺動面を有し前記被免震体と前記支持基盤面の一方に固着され、周縁部に固定部が設けられた支持部材と、前記摺動面に接触する摺動面を有し、前記被免震体と前記支持基盤面の他方に固着される滑り支承体と、前記滑り支承体に係止される内側係止部と前記支持部材の前記固定部に係止される外側係止部とが両端部に設けられ弾性を有するスポーク状部を備え、前記滑り支承体と前記支持部材との間を弾性的に接続する弾性体とを有し、前記支持部材の前記固定部に前記スポーク状部が係合するスリットを設けることを特徴とする。
【手続補正５】
【補正対象書類名】明細書
【補正対象項目名】００１０
【補正方法】変更
【補正の内容】
【００１０】
本発明の免震装置は、床面等の支持基盤面に設置される被免震体に前記支持基盤面から伝達される地震動を低減する免震装置であって、摺動面を有し前記被免震体に固着される受け部材と、摺動面を有し前記受け部材に対向して前記支持基盤面に固着される支持部材と、前記受け部材と前記支持部材との間に介装され、前記受け部材の摺動面に接触する上側摺動面と前記支持部材の摺動面に接触する下側摺動面とを有する滑り支承体と、前記滑り支承体と前記支持部材との間を弾性的に接続する支持部材用弾性体と、前記滑り支承体と前記受け部材との間を弾性的に接続する受け部材用弾性体とを有し、前記支持部材用弾性体および前記受け部材用弾性体は、地震発生時の前記支持基盤面に対する前記被免震体の周期を２秒以上に設定する弾性特性を有することを特徴とする。
【手続補正６】
【補正対象書類名】明細書
【補正対象項目名】００１１
【補正方法】変更
【補正の内容】
【００１１】
本発明の免震装置は、床面等の支持基盤面に設置される被免震体に前記支持基盤面から伝達される地震動を低減する免震装置であって、摺動面を有し前記被免震体に固着され、周縁部に固定部が設けられた受け部材と、摺動面を有し前記受け部材に対向して前記支持基盤面に固着され、周縁部に固定部が設けられた支持部材と、前記受け部材と前記支持部材との間に介装され、前記受け部材の摺動面に接触する上側摺動面と前記支持部材の摺動面に接触する下側摺動面とを有する滑り支承体と、前記滑り支承体に係止される内側係止部と前記受け部材の前記固定部に係止される外側係止部とが両端部に設けられ弾性を有するスポーク状部を備え、前記滑り支承体と前記受け部材との間を弾性的に接続する受け部材用弾性体と、前記滑り支承体に係止される内側係止部と前記支持部材の前記固定部に係止される外側係止部とが両端部に設けられ弾性を有するスポーク状部を備え、前記滑り支承体と前記支持部材との間を弾性的に接続する支持部材用弾性体とを有し、前記受け部材の前記固定部と前記支持部材の前記固定部とにそれぞれ前記スポーク状部が係合するスリットを設けることを特徴とする。
【手続補正７】
【補正対象書類名】明細書
【補正対象項目名】００１２
【補正方法】変更
【補正の内容】
【００１２】
本発明の免震装置は、前記受け部材用弾性体の前記外側係止部の端面と前記支持部材用弾性体の前記外側係止部の端面とを接触させることを特徴とする。
【手続補正８】
【補正対象書類名】明細書
【補正対象項目名】００１４
【補正方法】変更
【補正の内容】
【００１４】
本発明の免震装置は、前記被免震体に固着された受け部材と前記支持基盤面に固着される前記支持部材との可動距離が２０〜４０ｃｍであることを特徴とする。
【手続補正９】
【補正対象書類名】明細書
【補正対象項目名】００１５
【補正方法】変更
【補正の内容】
【００１５】
本発明の免震装置の製造方法は、床面等の支持基盤面に設置される被免震体に固定され周縁部に固定部が設けられた受け部材と、前記受け部材に対向して前記支持基盤面に固着され周縁部に固定部が設けられた支持部材と、前記受け部材と前記支持部材との間に介装され前記受け部材の摺動面に接触する上側摺動面および前記支持部材の摺動面に接触する下側摺動面を有する滑り支承体とを有し、前記支持基盤面から伝達される地震動を低減する免震装置の製造方法であって、前記滑り支承体に係止される内側係止部と前記受け部材の前記固定部に係止される外側係止部とが両端部に設けられた弾性を有するスポーク状部を備える受け部材用弾性体により、前記滑り支承体と前記受け部材との間を弾性的に接続し、前記滑り支承体に係止される内側係止部と前記支持部材の前記固定部に係止される外側係止部とが両端部に設けられ弾性を有するスポーク状部を備える支持部材用弾性体により、前記滑り支承体と前記支持部材との間を弾性的に接続することを特徴とする。
【手続補正１０】
【補正対象書類名】明細書
【補正対象項目名】００１６
【補正方法】変更
【補正の内容】
【００１６】
本発明の免震装置の製造方法においては、前記受け部材用弾性体の前記スポーク状部を前記受け部材の前記固定部に設けられたスリットに係合し、前記支持部材用弾性体の前記スポーク状部を前記支持部材の前記固定部に設けられたスリットに係合することを特徴とする。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】